(57)【要約】      （修正有）【課題】衛生マスク、メガネなどの身体に装着するものや手提げ袋など手でぶら下げるものにおいて、身体の接触する箇所に接触圧が掛かるが、この接触圧を低減する接触圧低減具を提供する。【解決手段】円筒状をなした弾性を有する軟質樹脂製の本体１の周壁２に上端から下端にわたって表裏を貫く螺旋状の切れ目３を形成し、螺旋状の切れ目３のピッチ角Θ１、Θ２が、両端部と中央部とで異なっている。【選択図】図１
0003226835.tif 000002
【実用新案登録請求の範囲】
【請求項１】
弾性を有する軟質樹脂を素材とし、円筒状をなし、周壁には上端から下端にわたって表裏を貫く螺旋状の切れ目が形成されていることを特徴とする対象物の周壁面巻き付け用の接触圧低減具。
【請求項２】
螺旋状の切れ目のピッチ角が、両端部と中央部とで異なっていることを特徴とする請求項１記載の接触圧低減具。
【考案の詳細な説明】
【技術分野】
【０００１】
この考案は、日常の生活の場において用いられる各種日用品の使い勝手を向上させるための補助具、詳しくは、衛生マスクの耳掛け紐やメガネのモダンなどの使用の際に、これらが接する身体部分にかかる接触圧を低減化する部材に関するものである。
【背景技術】
【０００２】
例えば、衛生マスクを装用した際には耳掛け紐が掛けられた耳の後方外周部に、メガネを装用した際にはモダンが掛けられた耳の上後方外周部に、手提げ袋をぶら下げた際には手提げ紐を保持する手のひらや指の腹などに接触圧が掛かることは周知の通りである。
【先行技術文献】
【特許文献】
【０００３】
【特許文献１】なし
【非特許文献】
【０００４】
【非特許文献１】なし
【考案の概要】
【考案が解決しようとする課題】
【０００５】
衛生マスクやメガネなどの様に身体に装着して使用に供するものの場合、装着を確実にする為に、身体の接触部分にある程度の接触圧が掛かることは仕方なく、手提げ袋に物品を収容した場合には、物品の重さに応じてある程度の接触圧が生ずることも仕方ないが、過大な接触圧が長く続くと、装用感の悪化をもたらし、これらに接した身体部分に痛み生じさせることにもなるので、この過大な接触圧を低減化させる為の何らかの方策が必要であった。
しかしながら、低コストで効果的に過大な接触圧を低減化させられる補助具はなかなか見当たらなかった。
【０００６】
本考案者は衛生マスクやメガネなど各種日用品の使用時に身体部分に掛かる接触圧に関するこの問題を解決せんとして鋭意研究を行った結果、低コストで生産可能で、効果的に接触圧を低減化出来る手軽で便利な接触圧低減具を開発することに成功し、本考案としてここに提案するものである。
【課題を解決するための手段】
【０００７】
弾性を有する軟質樹脂を素材とした円筒状をなした本体の周壁の上端から下端にわたって表裏を貫く螺旋状の切れ目が形成され、対象物の周壁面に巻き付けられる様になっている接触圧低減具により、上記課題を解決した。
【考案の効果】
【０００８】
紐状あるいは柱状をなした対象物の周壁面に巻き付けて使用に供するものであり、対象物が衛生マスクの耳掛け紐の場合や対象物がメガネのモダンの場合、あるいは対象物が手提げ袋の手提げ紐の場合には、それぞれ対象物に巻き付けて使用に供される。そうすることにより、対象物と耳や手などの荷重が掛かる身体部分との間にはこの接触圧低減具が介在することになるので、接触面が拡がると共に、その弾性によって、圧接圧は大幅に軽減され、長時間の装用やぶら下げによっても、接触面に痛みや違和感が生じることはなくなる。
【０００９】
又、構造は極めて簡単であり、低コストで容易に製造することが可能で、衛生マスクの耳掛け紐、メガネのモダン、手提げ紐などに簡単に後付けすることが出来るだけではなく、簡単に取りはずすことも可能で、複数の対象物に使い回すことも出来、すぐれた実用的価値を有する。
【００１０】
又、本体の周壁には螺旋状の切れ目が形成されているので、この切れ目を展開することにより、容易に取り付け、取りはずしが出来、装着中に不用意に対象物から離脱するおそれもなく、すぐれた信頼性を有する。
【図面の簡単な説明】
【００１１】
【図１】この考案に係る接触圧低減具の一実施例の拡大斜視図。
【図２】この考案に係る接触圧低減具を衛生マスクの耳掛け紐に取り付けた状態の斜視図。
【図３】この考案に係る接触圧低減具をメガネのモダンに取り付けた状態の斜視図。
【図４】この考案に係る接触圧低減具を手提げ袋の手提げ紐に取り付けた状態の斜視図。
【考案を実施するための形態】
【００１２】
弾性を有する軟質樹脂製の接触圧低減具の本体の周壁の上端から下端にわたって表裏を貫く螺旋状の切れ目が入れられている点に最大の特徴を存する。
【実施例】
【００１３】
図１はこの考案に係る接触圧低減具の一実施例の斜視図である。図中１は弾性を有する軟質樹脂を素材とした円筒状をなした本体であり、その周壁２の上端から下端にわたって、その表裏を貫く螺旋状の切れ目３が形成されている。本体１の素材としては、弾性を有する軟質樹脂なら合成素材、天然素材いずれでも良いが、シリコーンゴムやゴム系素材が好適に使用出来る。
【００１４】
又、螺旋状の切れ目３のピッチは均一でも不均一でも良いが、図１に示す様に、上端付近及び下端付近の切れ目３のピッチ角Θ1を中間部分のピッチ角Θ2より小さく設定し、Θ1＜Θ2としても良く、その様にした場合は、対象物への装着がより確実になり、はずれにくくなる。
【００１５】
なお、螺旋状の切れ目３は、円筒状の本体１の周壁２に、カッターの刃で切り込みを入れることにより、簡単に形成出来、その形成には特殊工具や専用設備等は全く必要としない。
【００１６】
この実施例は、紐状あるいは柱状をなした対象物に巻き付けて使用に供するものであり、対象物が衛生マスク４の耳掛け紐５の場合は、図２に示す様に耳掛け紐５に巻き付けて使用に供する。こうすることにより、衛生マスク４を装用した際に、耳掛け紐５は装用者の耳の後方外周に直接接触せず、この接触圧低減具が介在することになるので、接触面が拡がると共に本体1の弾性によって、耳の後方外周に掛かる接触圧は大幅に軽減される。従って、衛生マスク４を長時間装用しても、装用者の耳の後方外周に痛みや違和感などが生ずることはなくなる。
【００１７】
一方、対象物がメガネ９のモダン７の場合は、図３に示す様にモダン７の外周に巻き付けて使用に供する。
こうすることにより、メガネ９を装用した際に、モダン７は装用者の耳の上後方外周に直接接触せず、この接触圧低減具が介在することになるので、接触面が拡がると共に本体1の弾性によって、耳の上後方外周に掛かる接触圧は大幅に軽減される。従って、メガネ９を長時間装用しても、モダン７が接する装用者の耳の後方外周に痛みや違和感などが生ずることはなくなる。
【００１８】
更に、対象物が手提げ袋１０の手提げ紐８の場合は、図４に示す様に、手提げ紐８の外周に巻き付けて使用に供する。
こうすることにより、手提げ袋１０を手でぶら下げた際に、手提げ紐８は手のひらや指の腹に直接接触せず、この接触圧低減具が介在することになるので、接触面が拡がると共に本体1の弾性によって、手のひらや指の腹に掛かる接触圧は大幅に軽減される。従って、重い手提げ袋１０を長時間ぶら下げしても、手のひらや指の腹に痛みや違和感などが生ずることはなくなる。
【００１９】
この考案に係る接触圧低減具は上記の通りの構成を有し、簡単な構造であり、低コストで容易に製造可能で、衛生マスクの耳掛け紐、メガネのモダン、手提げ袋の手提げ紐などに簡単に後付けすることが出来るだけではなく、簡単に取りはずすことも可能で、複数の対象物に使い回すことも出来、すぐれた実用性を有する。
【００２０】
又、本体の周壁には螺旋状の切れ目が形成されているので、この切れ目を展開することにより、容易に取り付け、取りはずしが出来、装着中に不用意に対象物から離脱するおそれもなく、十分な信頼性を有している。
特に、図１に示すものの様に、本体の上端付近及び下端付近の切れ目のピッチが中央部分のそれよりも小さく設定されているものにおいては、はずれにくく、より高い信頼性を有する。
【産業上の利用可能性】
【００２１】
衛生マスクやメガネあるいは手提げ袋だけではなく、身体に装着したり、ぶら下げたりする日用品に広く適用可能である。
【符号の説明】
【００２２】
１．本体
２．周壁
３．切れ目
４．衛生マスク
５．耳掛け紐
７．モダン
８．手提げ紐
９．メガネ
１０．手提げ袋
【図１】
0003226835.tif 000003
【図２】
0003226835.tif 000004
【図３】
0003226835.tif 000005
【図４】
0003226835.tif 000006